(57)【特許請求の範囲】
【請求項１】
複数のモジュールから構成される監視対象装置におけるエラーの発生を検知する検知装置と、前記監視対象装置におけるエラーの存在を表示する表示装置とを備えるエラー表示システムであって、
前記検知装置は、
前記監視対象装置におけるエラーの有無を検知し、前記監視対象装置のエラーを検知したときに、エラーが発生しているモジュールを特定する検知部と、
前記検知部がエラーを検知したときに、前記表示装置のそれぞれに、前記検知部が特定したモジュールの識別情報を含むエラーの発生を示す通知を送信する送信部と
を備え、
前記表示装置は、前記監視対象装置のモジュール毎に設けられ、
前記表示装置は、
周囲環境の変化により不可逆的に色が変化する感受材と、
前記検知装置からエラーの通知を受信する受信部と、
前記監視対象装置のモジュールのうち、自装置に対応するモジュールの識別情報を記憶する対応モジュール記憶部と、
前記受信部が前記通知を受信した場合において、前記通知に含まれる識別情報と前記対応モジュール記憶部が記憶する識別情報とが一致するときに、前記感受材の周囲環境を変化させる作用部と、
前記作用部及び前記受信部に電力を供給する電池と、
を備えることを特徴とするエラー表示システム。
【請求項２】
前記モジュール毎に設けられた表示装置に加え、前記監視対象装置の筐体の外側にさらに前記表示装置が設けられ、
当該監視対象装置の筐体の外側に設けられた表示装置の作用部は、前記検知装置が何れかのモジュールにおけるエラーを検知したときに、前記感受材の周囲環境を変化させることを特徴とする請求項１に記載のエラー表示システム。
【請求項３】
前記検知装置の送信部は、前記通知を送信した後、所定の指示を受け付けるまで前記通知を送信した表示装置に通知を送信しないことを特徴とする請求項１または請求項２に記載のエラー表示システム。
【請求項４】
前記検知装置の送信部は、無線により前記通知を送信し、
前記表示装置の受信部は、無線により前記通知を受信する
ことを特徴とする請求項１から請求項３の何れか１項に記載のエラー表示システム。
【請求項５】
前記表示装置の感受材の一面には接着剤が塗布されていることを特徴とする請求項１から請求項４の何れか１項に記載のエラー表示システム。
【請求項６】
複数のモジュールから構成される監視対象装置におけるエラーの発生を検知する検知装置からの通知に基づいて、前記監視対象装置のうち自装置に対応するモジュールに発生したエラーの存在を表示する表示装置であって、
周囲環境の変化により不可逆的に色が変化する感受材と、
前記検知装置からエラーが発生しているモジュールの識別情報を含むエラーの通知を受信する受信部と、
前記監視対象装置のモジュールのうち、自装置に対応するモジュールの識別情報を記憶する対応モジュール記憶部と、
前記受信部が前記通知を受信した場合において、前記通知に含まれる識別情報と前記対応モジュール記憶部が記憶する識別情報とが一致するときに、前記感受材の周囲環境を変化させる作用部と、
前記作用部及び前記受信部に電力を供給する電池と、
を備えることを特徴とする表示装置。
【発明の詳細な説明】
【技術分野】
【０００１】
本発明は、監視対象装置におけるエラーの発生を検知する検知装置と、前記監視対象装置におけるエラーの存在を表示する表示装置とを備えるエラー表示システム及び表示装置に関する。
【背景技術】
【０００２】
サーバ装置などの保守が必要な機器（監視対象装置）においては、監視対象装置を構成するモジュールが故障していないかどうかを監視しておく必要がある。サーバ監視方法としては、ウェブブラウザを用いて監視対象装置のモジュールの状態を監視するソフトウェアを用いる方法がある。しかし、当該方法を用いる場合、監視時に、監視対象装置の電源がＯＦＦになっていると状態の監視ができないという問題がある。
【０００３】
本問題を解決する方法として、特許文献１には、電源がＯＦＦの状態でもモジュールの状態を知るために、無線ＩＣタグにモジュールの状態情報を記憶させておき、無線ＩＣタグリーダを利用して状態を読み取る技術が開示されている。具体的には、無線ＩＣタグは、モジュールの装着履歴や状態情報をシステム管理コントローラに送信することで、システム管理コントローラに状態情報を解析させ、その結果を受信することで、時系列的にモジュールの状態を履歴として記憶する。
【０００４】
また、特許文献２には、熱によって不可逆的に変色する示温材を備え、異常の発生時に当該示温材に熱を与えて色を変化させることで、状態情報を恒常的に表示させる方法が開示されている。
【先行技術文献】
【特許文献】
【０００５】
【特許文献１】特開２００６−１２７３２４号公報
【特許文献２】特開２００７−２７２９８９号公報
【発明の概要】
【発明が解決しようとする課題】
【０００６】
しかしながら、特許文献１に記載された方法を用いる場合、監視対象装置のモジュールの状態情報を収集するために、無線ＩＣタグリーダを用いる必要があるため、手元に無線ＩＣタグリーダが無い場合、状態情報を収集することができなかった。また、無線ＩＣタグがファンやメモリなどのモジュールに装着されているため、状態情報を収集するために監視対象装置の筐体の蓋を取り外す必要があった。
【０００７】
また、特許文献２に記載された方法を用いる場合、障害表示ユニットの電力供給がディスクドライブ装置に依存することとなるため、ディスクドライブ装置が故障して電力供給が途絶えた場合に、障害表示ユニットの状態を変更することができなくなるという問題があった。なお、特許文献２に記載された方法は、１つのモジュールにおける障害を表示するユニットであるため、複数のモジュールの障害を検出する場合は、当該障害表示ユニットを複数備える必要がある。
【課題を解決するための手段】
【０００８】
本発明は上記の課題を解決するためになされたものであり、複数のモジュールから構成される監視対象装置におけるエラーの発生を検知する検知装置と、前記監視対象装置におけるエラーの存在を表示する表示装置とを備えるエラー表示システムであって、前記検知装置は、前記監視対象装置におけるエラーの有無を検知し、前記監視対象装置のエラーを検知したときに、エラーが発生しているモジュールを特定する検知部と、前記検知部がエラーを検知したときに、前記表示装置のそれぞれに、前記検知部が特定したモジュールの識別情報を含むエラーの発生を示す通知を送信する送信部とを備え、前記表示装置は、前記監視対象装置のモジュール毎に設けられ、前記表示装置は、周囲環境の変化により不可逆的に色が変化する感受材と、前記検知装置からエラーの通知を受信する受信部と、前記監視対象装置のモジュールのうち、自装置に対応するモジュールの識別情報を記憶する対応モジュール記憶部と、前記受信部が前記通知を受信した場合において、前記通知に含まれる識別情報と前記対応モジュール記憶部が記憶する識別情報とが一致するときに、前記感受材の周囲環境を変化させる作用部と、前記作用部及び前記受信部に電力を供給する電池とを備えることを特徴とする。
【０００９】
また、本発明は、複数のモジュールから構成される監視対象装置におけるエラーの発生を検知する検知装置からの通知に基づいて、前記監視対象装置のうち自装置に対応するモジュールに発生したエラーの存在を表示する表示装置であって、周囲環境の変化により不可逆的に色が変化する感受材と、前記検知装置からエラーが発生しているモジュールの識別情報を含むエラーの通知を受信する受信部と、前記監視対象装置のモジュールのうち、自装置に対応するモジュールの識別情報を記憶する対応モジュール記憶部と、前記受信部が前記通知を受信した場合において、前記通知に含まれる識別情報と前記対応モジュール記憶部が記憶する識別情報とが一致するときに、前記感受材の周囲環境を変化させる作用部と、前記作用部及び前記受信部に電力を供給する電池とを備えることを特徴とする。
【発明の効果】
【００１０】
本発明によれば、検知部がエラーの発生を検知したときに、表示装置の作用部が感受材の周囲環境を変化させ、感受材の色を変化させる。これにより、ユーザは視覚を通じてエラーの有無を確認することができる。また、感受材が筐体の外側に設けられていれば、筐体の蓋を開けずにエラーの確認を行うことができる。また、表示装置は、電池を備え、当該電池により作用部及び受信部が機能する。これにより、表示装置は、ディスクドライブなど、監視対象装置のモジュールの電力供給によらずに、表示を行うことができる。
【図面の簡単な説明】
【００１１】
【図１】本発明の第１の実施形態によるエラー表示システムを備えるサーバ装置の外観を示す構成図である。
【図２】第１の実施形態による検知装置の構成を示す概略ブロック図である。
【図３】障害レベル記憶部が記憶する情報の例を示す図である。
【図４】第１の実施形態による表示装置の構成を示す概略ブロック図である。
【図５】第１の実施形態による検知装置の動作を示すフローチャートである。
【図６】第１の実施形態による表示装置の動作を示すフローチャートである。
【図７】第２の実施形態による検知装置の構成を示す概略ブロック図である。
【図８】第２の実施形態による表示装置の構成を示す概略ブロック図である。
【図９】第２の実施形態による検知装置の動作を示すフローチャートである。
【図１０】第２の実施形態による表示装置の動作を示すフローチャートである。
【発明を実施するための形態】
【００１２】
《第１の実施形態》
以下、図面を参照しながら本発明の実施形態について詳しく説明する。
図１は、本発明の第１の実施形態によるエラー表示システムを備えるサーバ装置１の外観を示す構成図である。図１（Ａ）は、サーバ装置１の透視図であり、筐体１１を破線で表現し、内部の構成を実線で表現している。
エラー表示システムによる監視対象であるサーバ装置１（監視対象装置）は、筐体１１、電源装置１２、モジュール１３（ＣＰＵ１３−１、メモリ１３−２、ＨＤＤ１３−３、ファン１３−４など）、検知装置１４、表示装置１５−０〜１５−４（以下、表示装置１５−０〜１５−４を総称する場合、表示装置１５と記載する）を備える。エラー表示システムは、このうち検知装置１４と表示装置１５によって構成される。
筐体１１は、サーバ装置１の外郭をなす。
電源装置１２は、モジュール１３のそれぞれ及び検知装置１４に電力を供給する。
モジュール１３は、サーバ装置１を構成するモジュールであって、検知装置１４によるエラー検知の対象となる。
【００１３】
検知装置１４は、モジュール１３にエラーが発生しているか否かを判定し、エラーが発生している場合に、エラーの通知を表示装置１５に送信する。
表示装置１５は、検知装置１４からエラーの通知を受信したときに、モジュール１３にエラーが発生している旨を表示する。表示装置１５−１〜１５−４は、モジュール１３毎に１つずつ設けられ、サーバ装置１全体のエラーの有無を表示するために、さらにもう１つ（表示装置１５−０）設けられる。なお、表示装置１５の下面には接着剤が塗布されており、本実施形態においてはモジュール１３毎に設けられた表示装置１５−１〜１５−４が当該モジュール１３の近傍に貼付され、サーバ装置１全体のエラーを表示する表示装置１５−０は、筐体１１の外側に貼付されている。
【００１４】
図１（Ｂ）は、表示装置１５の外観を示す構成図である。
表示装置１５のシート１５０の上面には、作用部１５２と感受材１５３とによって構成される表示部１５１が２つ（表示部１５１−１、１５１−２）設けられる。なお、シート１５０の下面には、上述したように接着剤が塗布されている。
感受材１５３は、周囲環境（熱、光、電圧、押圧など）の変化により不可逆的に色が変化する素材であり、作用部１５２は、感受材１５３の周囲環境を変化させる。感受材１５３と作用部１５２の組み合わせの例としては、以下に示すものが挙げられる。例えば、感受材１５３として感熱紙を用い、作用部１５２として感熱紙を暖めるヒータを用いることができる。また、感受材１５３として感光剤を用い、作用部１５２として感光剤に光を照射するＬＥＤを用いることができる。また、感受材１５３として感圧紙を用い、作用部１５２として感圧紙への押圧を行うアクチュエータを用いることができる。また、感受材１５３として、電圧をかけることで色が変わる薬品を浸透させた紙を用い、作用部１５２として感受材１５３に電圧をかける端子を用いることができる。
このように、作用部１５２が作用することで、感受材１５３の色が変化し、ユーザにエラーの発生を視認させることができる。
【００１５】
次に、検知装置１４の構成について説明する。
図２は、第１の実施形態による検知装置１４の構成を示す概略ブロック図である。
検知装置１４は、検知部１４１、センサ状態記憶部１４２、障害レベル記憶部１４３、対応関係記憶部１４４、状態判定部１４５、送信部１４６、管理用コントローラ１４７を備える。なお、センサ状態記憶部１４２、障害レベル記憶部１４３、及び対応関係記憶部１４４は、それぞれ検知装置１４の不揮発性メモリに割り当てられる。
【００１６】
検知部１４１は、モジュール１３毎に配置されたセンサによって構成され、モジュール１３それぞれの状態を示すセンサ情報（例えば、電源装置１２からの供給電圧、ファン１３−４の回転数、ＣＰＵ１３−１やＨＤＤ１３−３の温度など）を収集する。検知部１４１は、例えばＢＭＣ（Ｂａｓｅｂｏａｒｄ  Ｍａｎａｇｅｍｅｎｔ  Ｃｏｎｔｒｏｌｌｅｒ）によって構成される。
【００１７】
センサ状態記憶部１４２は、検知部１４１が収集したセンサ情報が示す状態に関連付けて、モジュール１３の識別情報と障害のレベルとを記憶する。つまり、センサ状態記憶部１４２は、センサ状態がある状態を示したときに、どのモジュール１３がどの程度の障害レベルであるかを示す情報を記憶する。なお、本実施形態では、障害レベルを４段階（正常、エラー、警告、故障）で表現する。センサ状態記憶部１４２は、例えば、ファン１３−４の回転数が５００〜１０００の場合に、障害レベル「１」に対応するといった情報を記憶する。
障害レベル記憶部１４３は、障害レベルと２ビットの信号とを関連付けて記憶する。つまり、障害レベル記憶部１４３は、各障害レベルを２ビットで表現するための情報を記憶する。
対応関係記憶部１４４は、モジュール１３の識別情報と、表示装置１５の識別情報と、当該表示装置１５にエラー通知を送信して良いか否かを示すロックフラグとを関連付けて記憶する。つまり、対応関係記憶部１４４は、あるモジュール１３に障害が発生した場合に、どの表示装置１５にエラーを表示させれば良いか、またその表示装置にエラー通知を送信して良いかを示す情報を記憶する。また、対応関係記憶部１４４は、各表示装置１５とのペアリング情報を記憶する。また、ロックフラグがＯＮになっている表示装置１５には、エラー情報が送信されない。
【００１８】
状態判定部１４５は、検知部１４１が収集したセンサ情報の値とセンサ状態記憶部１４２が記憶する情報とを比較し、各モジュール１３においてエラーが発生したか否かを判定する。また、エラーが発生した場合、エラーが発生したモジュール１３とその障害レベルを特定し、障害レベル記憶部１４３を参照して、表示装置１５に送信する信号を決定する。
送信部１４６は、対応関係記憶部１４４を参照して、エラーが発生したモジュール１３に対応する表示装置１５の識別情報を特定し、状態判定部１４５が生成した信号をエラーの通知として、アンテナを介して特定した表示装置１５に送信する。なお、当該送信には、例えばＢｌｕｅｔｏｏｔｈ（登録商標）などの近距離無線通信を用いることが望ましい。検知装置１４と表示装置１５との間の通信を無線で行うことで、ユーザは検知装置１４と表示装置１５を有線で接続するという面倒かつ繊細な作業を要することなく表示装置１５の追加・交換を行うことができる。
管理用コントローラ１４７は、センサ状態記憶部１４２、障害レベル記憶部１４３、対応関係記憶部１４４への情報の記録を行う。また、管理用コントローラ１４７は、検知装置１４と表示装置１５とのペアリングを行う。このとき、管理用コントローラ１４７は、表示装置１５とモジュール１３とを関連付け、ペアリング情報と共に対応関係記憶部１４４に記録することとなる。
【００１９】
ここで、障害レベル記憶部１４３が記憶する情報の例を挙げる。
図３は、障害レベル記憶部１４３が記憶する情報の例を示す図である。
図３に示すように、障害レベル記憶部１４３は、各障害レベルに関連付けて、状態と、２ビットの信号（信号１、信号２）を記憶する。つまり、障害レベル「０」である正常状態では、信号は「００」を示し、障害レベル「１」であるエラー状態では、信号は「１０」を示し、障害レベル「３」である警告状態では、信号は「０１」を示し、障害レベル「３」である故障状態では、信号は「１１」を示す。なお、当該設定は、管理用コントローラ１４７の制御によって障害レベル記憶部１４３の情報を書き換えることで変更することができる。
【００２０】
次に、表示装置１５の構成について説明する。
図４は、第１の実施形態による表示装置１５の構成を示す概略ブロック図である。なお、実線矢印は情報の出力先を示し、破線矢印は電力の供給先を示す。
表示装置１５は、表示部１５１、記憶部１５２、受信部１５３、表示制御部１５４、電池１５５を備える。なお、本実施形態では、２ビットの情報を表示させる必要があるため、表示装置１５には表示部１５１が２つ備えられる。
記憶部１５２は、検知装置１４とのペアリング情報を記憶する。
受信部１５３は、アンテナを介して検知装置１４からのエラー通知を受信する。なお、検知装置１４とのペアリングを行った際、記憶部１５２にペアリング情報を記録する。
表示制御部１５４は、受信部１５３が受信したエラー通知に応じて、表示部１５１の作用部１５２への電力を制御する。具体的には、エラー通知が「１０」を示す場合、表示部１５１−１に電力を供給し、表示部１５１−２に電力を供給しない。また、エラー通知が「０１」を示す場合、表示部１５１−１に電力を供給せず、表示部１５１−２に電力を供給する。また、エラー通知が「１１」を示す場合、表示部１５１−１及び表示部１５１−２に電力を供給する。
電池１５５は、受信部１５３及び表示制御部１５４へ電力を供給する。なお、表示制御部１５４は、電池１５５から供給された電力の一部を、表示部１５１に供給する。つまり、電池１５５は、表示制御部１５４を介して表示部１５１に電力を供給する。
【００２１】
次に、本実施形態によるエラー表示システムの動作を説明する。
図５は、第１の実施形態による検知装置１４の動作を示すフローチャートである。
検知部１４１は、定期的にセンサ情報を取得し、状態判定部１４５に出力する。初期状態において、状態判定部１４５は、センサ情報取得待ち状態となっている（ステップＳ１）。状態判定部１４５は、センサ情報取得待ち状態においてセンサ情報を受け付けると（ステップＳ２）、センサ状態記憶部１４２から、当該センサ情報に関連付けられた障害レベルを読み出す（ステップＳ３）。次に、状態判定部１４５は、障害レベルが１以上のものがあるか否かを判定する（ステップＳ４）。状態判定部１４５は、障害レベルが全て１未満であると判定した場合（ステップＳ４：ＮＯ）、ステップＳ１に戻り、センサ情報取得待ち状態に遷移する。つまり、全てのモジュール１３において障害レベルが０である場合は、何れのモジュール１３にも障害が発生しておらず、また表示装置１５の表示を変更する必要が無いため、次のセンサ情報の取得を待機する。
【００２２】
他方、状態判定部１４５は、何れかのモジュール１３において障害レベルが１以上であると判定した場合（ステップＳ４：ＹＥＳ）、当該障害レベルに関連付けられた信号のビット情報を障害レベル記憶部１４３から読み出す（ステップＳ５）。次に、送信部１４６は、障害が発生したモジュール１３の識別情報及びＯＦＦを示すロックフラグに関連付けられた表示装置１５の識別情報を対応関係記憶部１４４から読み出す（ステップＳ６）。これにより、一度エラー判定がなされて表示部１５１への表示が終了している表示装置１５への通信を行わないことで、表示装置１５が表示している情報が変化して状態が判別できなくなることを防ぐことができる。
【００２３】
そして、送信部１４６は、状態判定部１４５が読み出したビット情報を示すエラー通知を、読み出した識別情報が示す表示装置１５、及びサーバ装置１全体のエラーを表示する表示装置１５−０に送信する（ステップＳ７）。これにより、何れかのモジュール１３においてエラーが発生した場合に、サーバ全体のエラーを表示する表示装置１５−０にエラーの表示をさせることができる。サーバ装置１全体のエラーを表示する表示装置１５−０は、筐体１１の外側に貼付されているため、ユーザは筐体１１を開けることなく、サーバ装置１のエラーの有無を判定することができる。
【００２４】
次に、送信部１４６は、エラー通知の送信先の表示装置１５の識別情報に関連付けられたロックフラグをＯＮに書き換える（ステップＳ８）。以降、ステップＳ１に戻ってセンサ情報取得待ち状態に遷移し、処理を繰り返す。なお、ロックフラグは、ユーザによる所定の指示（例えば、管理用コントローラ１４７を介したアクセス）によりＯＮからＯＦＦに変えることができる。これにより、障害発生したモジュール１３の交換などを行って正常状態に復帰させた場合、対応する表示装置１５の感受材１５３を交換し、ロックを解除することで、再度エラー通知を出力することができるようになる。
【００２５】
図６は、第１の実施形態による表示装置１５の動作を示すフローチャートである。
受信部１５３が、エラー通知を受信すると（ステップＳ９）、当該エラー通知を表示制御部１５４に出力する。表示制御部１５４は、エラー通知が示すビット情報を読み出し（ステップＳ１０）、「１」を示すビットに対応する表示部１５１に電力を供給する（ステップＳ１１）。例えば、表示部１５１−１が信号１（上位ビット）に対応し、表示部１５１−２が信号２（下位ビット）に対応する場合において、ビット情報が「０１」を示すとき、表示制御部１５４は、表示部１５１−２にのみ電力を供給する。これにより、電力の供給を受けた表示部１５１の作用部１５２が、感受材１５３の周囲環境を変化させ、感受材１５３の色を不可逆的に変化させる。
【００２６】
以上の処理により、サーバ装置１の電源がＯＦＦとなった場合にも、表示装置１５の表示を変更させることができる。感受材１５３の色は不可逆的に変化するため、表示装置１５の表示は電源がＯＦＦになっても変化しないため、サーバ装置１の電源状態に依存することなく、サーバ装置１の状態を確認することができる。
【００２７】
このように、本実施形態によれば、表示装置１５は、複数の感受材１５３の色の組み合わせによりエラーが発生したモジュール１３の状態を表示させる表示部１５１を備える。これにより、サーバ装置１の電源がＯＦＦの状態であっても、モジュール１３のエラーの有無を特定の外部装置を用いずに確認することができる。
【００２８】
また、本実施形態によれば、表示装置１５のシート１５０の下面に接着剤が塗布され、また検知装置１４と表示装置１５とが無線通信により接続されているため、ユーザの任意の場所に貼付することができる。これにより、表示装置１５を、対応するモジュール１３の付近に限らず、無線電波の届く範囲内でユーザの好みの場所に設置することができる。
【００２９】
また、本実施形態によれば、検知装置１４がセンサの値と障害レベルとを関連付けて記憶するセンサ状態記憶部１４２を備える。これにより、サーバ装置１の電源がＯＦＦの状態であっても、特定のエラー状態のみを知ることができる。つまり、致命的な問題が起こったモジュール１３の状態だけを知ることもでき、保守作業時に交換が必要なモジュール１３を一目で見分けることができる。
【００３０】
《第２の実施形態》
次に、本発明の第２の実施形態について説明する。
第２の実施形態によるエラー表示システムは、検知装置１４及び表示装置１５の構成が第１の実施形態と異なる。
図７は、第２の実施形態による検知装置１４の構成を示す概略ブロック図である。
第２の実施形態による検知装置１４は、第１の実施形態による検知装置１４と異なり、対応関係記憶部１４４を備えず、送信部１４６の動作が異なる。
送信部１４６は、状態判定部１４５が生成した信号とエラーが発生したモジュール１３の識別情報とをエラーの通知として、全ての表示装置１５にブロードキャストで送信する。
【００３１】
次に、表示装置１５の構成について説明する。
図８は、第２の実施形態による表示装置１５の構成を示す概略ブロック図である。
第２の実施形態による表示装置１５は、第１の実施形態による表示装置１５と記憶部１５２が記憶する情報及び表示制御部１５４の動作が異なる。
記憶部１５２（対応モジュール記憶部）は、検知装置１４とのペアリング情報に加えて、自装置に対応するモジュール１３の識別情報を記憶する。
表示制御部１５４は、受信部１５３が受信したエラー通知に含まれるモジュール１３の識別情報が、記憶部１５２が記憶するモジュール１３の識別情報と一致する場合に、表示部１５１の作用部１５２への電力を制御する。
【００３２】
次に、本実施形態によるエラー表示システムの動作を説明する。
図９は、第２の実施形態による検知装置１４の動作を示すフローチャートである。なお、第１の実施形態と同じ動作をする部分は、同じ符号を用いて説明する。
検知部１４１は、定期的にセンサ情報を取得し、状態判定部１４５に出力する。初期状態において、状態判定部１４５は、センサ情報取得待ち状態となっている（ステップＳ１）。状態判定部１４５は、センサ情報取得待ち状態においてセンサ情報を受け付けると（ステップＳ２）、センサ状態記憶部１４２から、当該センサ情報に関連付けられた障害レベルを読み出す（ステップＳ３）。次に、状態判定部１４５は、障害レベルが１以上のものがあるか否かを判定する（ステップＳ４）。状態判定部１４５は、障害レベルが全て１未満であると判定した場合（ステップＳ４：ＮＯ）、ステップＳ１に戻り、センサ情報取得待ち状態に遷移する。
【００３３】
他方、状態判定部１４５は、何れかのモジュール１３において障害レベルが１以上であると判定した場合（ステップＳ４：ＹＥＳ）、当該障害レベルに関連付けられた信号のビット情報を障害レベル記憶部１４３から読み出す（ステップＳ５）。
ここで、送信部１４６は、状態判定部１４５が読み出したビット情報を示すエラー通知を、全ての表示装置１５にブロードキャストで送信する（ステップＳ１０１）。以降、ステップＳ１に戻ってセンサ情報取得待ち状態に遷移し、処理を繰り返す。
【００３４】
図１０は、第２の実施形態による表示装置１５の動作を示すフローチャートである。なお、第１の実施形態と同じ動作をする部分は、同じ符号を用いて説明する。
受信部１５３が、エラー通知を受信すると（ステップＳ９）、表示制御部１５４は、当該エラー通知からモジュール１３の識別情報を読み出し、当該識別情報が記憶部１５２に記憶されているモジュール１３の識別情報と一致するか否かを判定する（ステップＳ１０２）。なお、表示装置１５が特定のモジュール１３のエラーでなく、サーバ全体のエラーを表示する場合、記憶部１５２が記憶する識別情報に関わらず、一致すると判定する。これにより、何れかのモジュール１３においてエラーが発生した場合に、サーバ全体のエラーを表示する表示装置１５−０にエラーの表示をさせることができる。
表示制御部１５４は、モジュール１３の識別情報が一致すると判定した場合（ステップＳ１０２：ＹＥＳ）、エラー通知が示すビット情報を読み出し（ステップＳ１０）、「１」を示すビットに対応する表示部１５１に電力を供給する（ステップＳ１１）。
他方、表示制御部１５４は、モジュール１３の識別情報が一致しないと判定した場合（ステップＳ１０２：ＮＯ）、何も行わずに処理を終了する。
【００３５】
以上の処理により、サーバ装置１の電源がＯＦＦとなった場合にも、表示装置１５の表示を変更させることができる。感受材１５３の色は不可逆的に変化するため、表示装置１５の表示は電源がＯＦＦになっても変化しないため、サーバ装置１の電源状態に依存することなく、サーバ装置１の状態を確認することができる。
【００３６】
このように、本実施形態によれば、表示装置１５は、複数の感受材１５３の色の組み合わせによりエラーが発生したモジュール１３の状態を表示させる表示部１５１を備える。これにより、サーバ装置１の電源がＯＦＦの状態であっても、モジュール１３のエラーの有無を特定の外部装置を用いずに確認することができる。
【００３７】
また、本実施形態によれば、表示装置１５のシート１５０の下面に接着剤が塗布され、また検知装置１４と表示装置１５とが無線通信により接続されているため、ユーザの任意の場所に貼付することができる。これにより、表示装置１５を、対応するモジュール１３の付近に限らず、無線電波の届く範囲内でユーザの好みの場所に設置することができる。
【００３８】
また、本実施形態によれば、検知装置１４がセンサの値と障害レベルとを関連付けて記憶するセンサ状態記憶部１４２を備える。これにより、サーバ装置１の電源がＯＦＦの状態であっても、特定のエラー状態のみを知ることができる。つまり、致命的な問題が起こったモジュール１３の状態だけを知ることもでき、保守作業時に交換が必要なモジュール１３を一目で見分けることができる。
【００３９】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、第１、第２の実施形態では、表示装置１５が備える表示部１５１の数が２個である場合を説明したが、これに限られず、例えば、１個や、３個以上であっても良い。この場合、障害レベル記憶部１４３が記憶するビット情報も当該個数にあわせたビット数となるように変更する必要がある。
表示部１５１の個数を３個以上にした場合、第１、第２の実施形態以上に多くの情報量を表示することができる。また、表示部１５１の個数を１個にした場合、０か１かの情報で状態を管理することができるため、エラーがあるか否かだけを知りたいケースに適している。
【００４０】
上述の検知装置１４及び表示装置１５は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４２】
１…サーバ装置  １１…筐体  １２…電源装置  １３…モジュール  １３−１…ＣＰＵ  １３−２…メモリ  １３−３…ＨＤＤ  １３−４…ファン  １４…検知装置  １５、１５−０、１５−１、１５−２、１５−３、１５−４…表示装置  １４１…検知部  １４２…センサ状態記憶部  １４３…障害レベル記憶部  １４４…対応関係記憶部  １４５…状態判定部  １４６…送信部  １４７…管理用コントローラ  １５１、１５１−１、１５１−２…表示部  １５２…記憶部  １５３…受信部  １５４…表示制御部  １５５…電池
【図１】
0005673151.tif 000002
【図２】
0005673151.tif 000003
【図３】
0005673151.tif 000004
【図４】
0005673151.tif 000005
【図５】
0005673151.tif 000006
【図６】
0005673151.tif 000007
【図７】
0005673151.tif 000008
【図８】
0005673151.tif 000009
【図９】
0005673151.tif 000010
【図１０】
0005673151.tif 000011